(57)【要約】【課題】ＰＥＴ素材を透明体の素材として用いているフレームにおいて、透明体が光を反射することにより額装している絵画、写真等が見えにくくなることを有効に防止可能としたフレームを提供すること。【解決手段】複数本の長尺状のフレーム材を略多角形状に枠組みすることにより形成される枠体（２）と、該枠体（２）内に支持される透明体（３）と、該透明体（３）の裏面側に重ね合わされる配置で前記枠体（２）内に支持される裏板（４）と、を具備するフレーム（１）であって、前記透明体（３）は、Ａ−ＰＥＴ製の板材を冷却し、その後にこの冷却した板材に微細の凹凸部を多数個形成して成ることを特徴としており、これにより、ＰＥＴ素材を透明体の素材として用いているフレームの場合でも、蛍光灯等の光の反射により額装している絵画、写真等が見えにくくなることを有効に防止できる。【選択図】図１
0003118782.tif 000002
【実用新案登録請求の範囲】
【請求項１】
複数本の長尺状のフレーム材を略多角形状に枠組みすることにより形成される枠体（２）と、
該枠体（２）内に支持される透明体（３）と、
該透明体（３）の裏面側に重ね合わされる配置で前記枠体（２）内に支持される裏板（４）と、を具備するフレーム（１）であって、
前記透明体（３）は、ＰＥＴ製の板材を冷却し、その後にこの冷却した板材に微細な凹凸部を多数個形成して成ることを特徴とするフレーム。
【請求項２】
複数本の長尺状のフレーム材を略多角形状に枠組みすることにより形成される枠体（２）と、
該枠体（２）内に支持される透明体（３）と、
該透明体（３）の裏面側に重ね合わされる配置で前記枠体（２）内に支持される裏板（４）と、を具備するフレーム（１）であって、
前記透明体（３）は、Ａ−ＰＥＴ製の板材を冷却し、その後にこの冷却した板材に微細な凹凸部を多数個形成して成ることを特徴とするフレーム。
【考案の詳細な説明】
【技術分野】
【０００１】
本考案はフレームに係り、より詳しくは、蛍光灯等の光の反射により額装した写真、絵画等が見えにくくなることを防止可能としたフレームに関する。
【背景技術】
【０００２】
従来から、写真、絵画等を壁等に飾る場合にはフレームが用いられている。即ち、このフレームは、長尺状のフレーム材を多角形状に枠組みすることにより構成された枠体と、この多角形状に枠組みされた枠体内に支持されるとともに、写真、絵画等を挟み込んで支持することが可能な透明体および裏板を備えており、透明体と裏板の間に写真、絵画等を挟み込むことにより、フレームに写真、絵画等を支持し、その後このフレームを壁等に掛けることにより、写真、絵画等を所望する箇所に飾ることを可能としている。
【０００３】
ここで、従来から一般的に用いられているフレームについて図面を参照して説明すると、図４は従来から用いられているフレームの縦断側面を示す図であり、また、図５は従来のフレームの背面図であり、図において３１が従来のフレームである。
【０００４】
そして、この従来から用いられているフレーム３１では、長尺状のフレーム材を、多角形状、より具体的には四角形状に枠組みした枠体３２を備えている。
【０００５】
また、この枠体３２は、裏面における内周側全域に載置棚部３２０１が形成されているとともに、この載置棚部３２０１に周縁部が載置される配置において、前記枠体３２内には、透明体３３が係止されている。
【０００６】
更に、この透明体３３の裏面には、透明体３３とほぼ同一の形状寸法を有する裏板３４が重ね合わされており、この裏板３４は、その裏面において、前記枠体３２の裏面に回動自在に備えた、「トンボ」と呼ばれる係止部材３５によって支持されており、これにより、前記枠体３２内には透明体３３及び裏板３４が、重ね合わされた状態で係止されている。
【０００７】
そして、使用に際しては、透明体３３及び裏板３４によって絵画、写真等３５を挟み込んだ状態において、透明体３３、および裏板３４を前記枠体３２内に係止し、この状態で、フレーム３１を壁等に引っ掛け、これにより写真、絵画等を所望する箇所に装着して飾ることを可能としている。
【考案の開示】
【考案が解決しようとする課題】
【０００８】
ところで、一般的に、フレームを構成する透明体は表面が平坦であるために、見る角度によっては、蛍光灯等の光が反射してしまい、額装してある絵画、写真等が見えにくくなることが往々にしてある。
【０００９】
この点、このような蛍光灯等の光の反射を防止するために透明体に何らかの処理を施すことが好ましいが、近年透明体として多用されているＰＥＴ素材では光の反射を防止する処理が困難であるという問題点がある。即ち、近年は、環境問題を考慮して、従来から使用されていた塩ビ素材に代わってＰＥＴ素材が透明体の素材として用いられているが、このＰＥＴ素材は融点が低く柔らかなために加工を施すことが困難である。そのため、従来は、このようなＰＥＴ素材を透明体として用いたフレームでは、前述したように、蛍光灯等の光の反射により、額装してある絵画、写真等が見えにくくなることを防止することは不可能であると考えられていた。
【００１０】
そこで、本考案は、ＰＥＴ素材を透明体の素材として用いているフレームにおいて、透明体が光を反射することにより額装している絵画、写真等が見えにくくなることを有効に防止可能としたフレームを提供することを課題としている。
【課題を解決するための手段】
【００１１】
本考案者の実験によれば、融点が低く柔らかなためにエンボス加工を掛けることが不可能であると言われていたＰＥＴ素材であっても、これを冷却することによりエンボス加工を掛けることが可能であることが判明した。そこで、本考案者は、冷却した後にエンボス加工を掛けることにより形成される透明体を用いたフレームを考案した。
【００１２】
即ち、請求項１に記載の本考案のフレームは、複数本の長尺状のフレーム材を略多角形状に枠組みすることにより形成される枠体と、該枠体内に支持される透明体と、該透明体の裏面側に重ね合わされる配置で前記枠体内に支持される裏板と、を具備するフレームであって、
前記透明体は、ＰＥＴ製の板材を冷却し、その後にこの冷却した板材に微細な凹凸部を多数個形成して成ることを特徴としている。
【００１３】
そして、請求項２に記載の本考案のフレームは、複数本の長尺状のフレーム材を略多角形状に枠組みすることにより形成される枠体と、該枠体内に支持される透明体と、該透明体の裏面側に重ね合わされる配置で前記枠体内に支持される裏板と、を具備するフレームであって、
前記透明体は、Ａ−ＰＥＴ製の板材を冷却し、その後にこの冷却した板材に微細な凹凸部を多数個形成して成ることを特徴としている。
【考案の効果】
【００１４】
本考案のフレームでは、微細な凹凸を多数個形成してなる透明体を用いているために、蛍光灯等の光が透明体に当たった場合にはその光は乱反射し、これにより額装している絵画、写真等が見えにくくなることを有効に防止することが可能である。
【００１５】
また、透明体としては、ＰＥＴ製の素材を、まず冷却し、その後にその状態のＰＥＴ素材にエンボス加工を施して形成されているため、環境に優しいＰＥＴ樹脂を用いつつ蛍光灯等の光の反射による弊害を防止することが可能である。
【考案を実施するための最良の形態】
【００１６】
請求項１に記載の本考案のフレームでは、複数本の長尺状のフレーム材を略四角形状に枠組みすることにより形成される枠体を備えており、この枠体の内周側には透明体が支持されている。また、この透明体の裏面側に重ね合わされる配置で前記枠体内には裏板が支持されており、透明体および裏板間に、写真、絵画等を挟み込むことを可能としている。
【００１７】
そして、前記透明体としては、ＰＥＴ製の素材を冷却した後に、この冷却した素材に、成形用のロールにより微細な凹凸状のエンボス加工を施して形成される透明体を用いている。
【００１８】
次に、請求項２に記載の本考案のフレームでは、前述した請求項１に記載のフレームと同様に、複数本の長尺状のフレーム材を略四角形状に枠組みすることにより形成される枠体を備え、この枠体の内周側には透明体が支持され、この透明体の裏面側に重ね合わされる配置で前記枠体内には裏板が支持され、透明体および裏板間に、写真、絵画等を挟み込むことを可能としている。
【００１９】
そして、前記透明体としては、Ａ−ＰＥＴ製の素材を冷却した後に、この冷却した素材に、成形用ロールにより微細な凹凸状のエンボス加工を施して形成される透明体を用いている。
【実施例１】
【００２０】
本考案のフレームの実施例について図面を参照して説明すると、図１は、本実施例のフレームの正面図であり、また、図２は図１におけるＡ−Ａ線断面図であり、図において１が本実施例のフレームである。
【００２１】
そして、本実施例のフレーム１では、略長方形の外形とした枠体２を備えており、この枠体２は、木製、金属製、樹脂製等の長尺状の４本のフレーム材を枠組みすることにより構成されている。
【００２２】
そして、前記枠体２内には、透明体３および裏板４が支持され、この透明体３と裏板４との間に、写真、絵画等７を挟み込むとともに、前記フレーム２に回動自在に装着した係止部材６によって裏板４をフレーム２に係止することにより、枠体２の内周側に、写真、絵画等７を装着可能としている。
【００２３】
ここで、前記透明体３および裏板４を枠体２内に支持する方法について説明すると、図２において、前記枠体２には、その裏面において、内周側全域に亘って段差部２０１が形成されており、この段差部２０１を介して、枠体２の内周側に透明体３および裏板４を支持可能としている。
【００２４】
即ち、透明体３及び裏板４を前記枠体２に支持する場合には、前記段差部２０１上に透明体３の周縁部を載置するとともに、この透明体３に重ね合わせるような配置で、裏板４の周縁部を前記段差部２０１上に載置する。そして、裏板４をとんぼ等の係止部材５でフレーム２に係止して、これによりフレーム２内に裏板４および透明体３を支持可能としており、使用に際しては、透明体３と裏板４間に写真、絵画等７を挟み込むことを可能としている。
【００２５】
次に、本実施例における前記透明体３について説明すると、図１において３ｂは透明体の一部であり、右側に引き出して示した図が３ｂ部分を拡大して示したものである。また、図３は前記透明体３の底面の一部を拡大して示した図であり、本実施例において前記透明体３は、全体をＡ−ＰＥＴ樹脂により構成している。そして、このＡ−ＰＥＴ樹脂にエンボス加工を施すことにより、その表面側及び裏面側に微細な凹凸３０１を多数形成している。
【００２６】
このように、本実施例のフレーム１では、透明体３にエンボス加工を施して微細な凹凸３０１を多数形成しているおり、透明体３に当たった蛍光灯等の光は乱反射するために、これにより、光の反射により額装した絵画、写真等が見えにくくなることを有効に防止することが可能である。
【００２７】
また、このとき、透明体の素材としてＡ−ＰＥＴ樹脂を用いているために、廃棄等に際しても有害物質を放出することが無く、環境に配慮したフレームにすることが可能である。
【００２８】
なお、ここで、Ａ−ＰＥＴ樹脂にエンボス加工を施して微細な凹凸を多数形成する方法について説明すると、本実施例における透明体３では、まず、Ａ−ＰＥＴ樹脂による素材を強力に冷却する。
【００２９】
そして次に、表面に多数個の微細な凸部が形成された一対のローラーを用いて、このローラーを、互いの凸部がぶつかり合わない配置で当接させ、この一対のローラー間に、前記冷却したＡ−ＰＥＴ素材を通す。そしてこれにより、前記冷却したＡ−ＰＥＴ樹脂に、エンボス加工を施し、その表裏面に微細な凹凸を多数形成している。
【００３０】
なお、前述の実施例ではＡ−ＰＥＴ樹脂の素材を用いて透明体を形成した場合を説明したが、必ずしもＡ−ＰＥＴ樹脂を用いる必要はなく、その他のＰＥＴ樹脂を透明体の素材として用いてもよい。
【産業上の利用可能性】
【００３１】
本考案のフレームでは、ＰＥＴ樹脂の素材を冷却した後にエンボス加工を施して微細な凹凸を多数形成して透明体を形成することにより、ＰＥＴ樹脂を透明体の素材として用いた場合でも蛍光灯等の光の影響で額装した絵画、写真等が見えにくくなることを防止しているため、ＰＥＴ樹脂により透明体を形成しているフレームの全般に適用可能である。
【図面の簡単な説明】
【００３２】
【図１】本考案のフレームの実施例の正面図である。
【図２】図１におけるＡ−Ａ線断面図である。
【図３】本考案のフレームの実施例における透明体の底面の一部を拡大して示した図である。
【図４】従来のフレームを説明するための図である。
【図５】従来のフレームを説明するための図である。
【符号の説明】
【００３３】
１    フレーム
２    枠体
２０１    段差部
３    透明体
３０１    透明体に形成した微細な凹凸
４    裏板
【図１】
0003118782.tif 000003
【図２】
0003118782.tif 000004
【図３】
0003118782.tif 000005
【図４】
0003118782.tif 000006
【図５】
0003118782.tif 000007